【事件の表示】
　特許第３０１２５９４号「オレンジ抽出物を用いたフリーラジカルを捕捉する方法及びその組成物」の請求項１ないし９に係る特許に対する特許異議の申立てについて、次のとおり決定する。
【結　論】
　訂正を認める。
　特許第３０１２５９４号の請求項１ないし９に係る特許を取り消す。
【理　由】
（１）手続きの経緯
　本件特許３０１２５９４号の発明は、平成１０年５月２７日（パリ条約による優先権主張１９９７年５月３０日　米国）に出願され、平成1１年１２月１０日にその特許権の設定登録がなされ、その後、その特許につき鐘紡株式会社、日本香料工業会より特許異議の申立てがなされ、取り消し理由が通知され、その指定期間内である平成１３年６月２６日に意見書提出とともに訂正請求がされた後、再度取り消し理由が通知され、その指定期間内である平成１４年７月１１日に意見書が提出され、同時に訂正請求がなされたものである。なお、平成１３年６月２６日になされた訂正請求は取り下げられた。
（２）訂正の適否の判断
ア　訂正の内容
１．特許請求の範囲についての訂正
請求項１〜９を以下のとおりに訂正する。
【請求項１】  ビターオレンジの皮抽出物を含んでなるフリーラジカル捕捉組成物。
【請求項２】  前記ビターオレンジの皮抽出物が、約１重量％未満のアスコルビン酸を含むものである請求項１に記載の組成物。
【請求項３】  ローション、フォーム、クリーム等の形態の化粧品組成物において、スーパーオキシドラジカルに対する抗ラジカル活性を与えるために効果的な量のビターオレンジの皮抽出物を含有することを特徴とする組成物。
【請求項４】  前記ビターオレンジの皮抽出物が、約１重量％未満のアスコルビン酸を含むものである請求項３に記載の組成物。
【請求項５】  組成物の抗ラジカル活性を高めるために効果的な量のビターオレンジの皮抽出物を、その組成物に配合することを特徴とする組成物に抗ラジカル活性を付与する方法。
【請求項６】  前記ビターオレンジの皮抽出物が、約１重量％未満のアスコルビン酸を含むものである請求項５に記載の方法。
【請求項７】  前記組成物が薬剤用、化粧品用、食品用、及び農業用組成物から成る群から選択されたものである請求項６に記載の方法。
【請求項８】　ビターオレンジの皮抽出物を含有する組成物を適用することを特徴とするヒトの皮膚においてフリーラジカルを捕捉する方法。
【請求項９】  前記ビターオレンジの皮抽出物が、約１重量％未満のアスコルビン酸を含むものである請求項８に記載の方法。
２．発明の詳細な説明の欄の記載を次のとおり訂正する。
２．１
　発明の詳細な説明の欄の下記箇所の「オレンジ」を「ビターオレンジの皮」とする。
３欄　６行
４欄　８，９，１３，１５，２２〜２３，２８，３０〜３１、３４，３９，　　　４０〜４１，４３，５０行
５欄　４、５，９，１４〜１５，１８〜１９、２７，２８，３１（２箇所）　　　，３５，３６，３９（２箇所），３９〜４０，４０行
６欄　１〜２，１６，１９，２０，２３，２７，３１，３５，３７，４６行
７欄　１１〜１２、１３行
８欄　８，９行
２．２
　発明の詳細な説明の欄（特許公報）の４欄４７〜４９行の「本発明に使用するオレンジ抽出物は、ミカン科ポンカン抽出物、ミカン科キハダ抽出物以外のオレンジ抽出物である。」を削除する。
２．３　
　発明の詳細な説明の欄（特許公報）の５欄の下から１２〜１１行の「オレンジ抽出物は、オレンジの皮、花及び／又はオレンジの木の葉から得ることが好ましい。」を「ビターオレンジの皮抽出物はビターオレンジの皮から得られる。」と訂正する。
２．４
   発明の詳細な説明の欄（特許公報）の５欄の下から６〜１行の「オレンジ抽出物はＢｉｔｔｅｒ　Ｏｒａｎｇｅ　Ｐｅｅｌ　Ｅｘｔｒａｃｔ　ＨＢ　（Ｃｅｎｔｅｒｃｈｅｍ，Ｉｎｃ．）、又はＨｅｒｂａｓｏｌ　Ｏｒａｎｇｅ　Ｅｘｔｒａｃｔ　（Ｃｏｓｍｅｔｏｃｈｅｍ）が最も好ましい。Ｃｅｎｔｅｒｃｈｅｍ製の原料はビターオレンジの皮から得られ、Ｃｏｓｍｅｔｏｃｈｅｍ製の原料はビターオレンジの花から得られている。」を  「ビターオレンジの皮抽出物としては、Ｂｉｔｔｅｒ　Ｏｒａｎｇｅ　Ｐｅｅｌ　Ｅｘｔｒａｃｔ　ＨＢ　（Ｃｅｎｔｅｒｃｈｅｍ，Ｉｎｃ．）が最も好ましい。」と訂正する。
２．５
　発明の詳細な説明の欄（特許公報）の７欄１０行の「オレンジ抽出物を上述の方法に従って調製した。」を「この実施例では、ビターオレンジの皮抽出物（Ｂｉｔｔｅｒ　Ｏｒａｎｇｅ　Ｐｅｅｌ　Ｅｘｔｒａｃｔ　ＨＢ　（Ｃｅｎｔｅｒｃｈｅｍ，Ｉｎｃ．））を使用した。」と訂正する。
２．６
発明の詳細な説明の欄（特許公報）の８欄６〜７行の「オレンジ抽出物は、52％の阻止率を示した。」を「ビターオレンジの皮抽出物（Ｂｉｔｔｅｒ　Ｏｒａｎｇｅ　Ｐｅｅｌ　Ｅｘｔｒａｃｔ　ＨＢ　（Ｃｅｎｔｅｒｃｈｅｍ，Ｉｎｃ．））は、52％の阻止率を示した。」と訂正する。
イ　訂正の目的の適否、新規事項の有無及び拡張変更の存否
　上記訂正事項１は、「オレンジ抽出物（ミカン科ポンカン抽出物、ミカン科キハダ抽出物を除く）」を「ビターオレンジの皮抽出物」に訂正するものであるから、特許請求の範囲の減縮を目的とするものである。また、上記訂正事項２は特許請求の範囲の訂正に伴い、発明の詳細な説明をこれに整合させるためのものであり、訂正事項１に付随して生じる記載の不備を解消するものであって、明瞭でない記載の釈明に該当する。
　そして、上記訂正事項は、いずれも特許明細書に記載した事項の範囲内でなされたものであるから新規事項の追加に該当せず、また当該訂正によって実質上特許請求の範囲を拡張し又は変更するものでもない。
　したがって、上記訂正は、特許法第１２０条の４第２項及び同条第３項で準用する同法第１２６条第２、３項の規定に適合するので、この訂正を認める。
（３）本件発明
　上記訂正は、これを認容することができるから、本件請求項１〜９に係る発明（以下、それぞれ「本件発明１」〜「本件発明９」という。）は、訂正された特許請求の範囲の請求項１〜９に記載された事項により特定される上記「訂正事項１」に示すとおりのものである。
（４）取消理由通知書で引用された刊行物、及びそれらの記載事項の概要
刊行物１；「日本食品工業学会誌」第２５巻、第１２号、第６８７〜６９０　　　　　　頁（１９７８）
　インライン搾汁方式で採取した温州ミカン、夏柑、カボスの精油のほか・・バレンシアオレンジ、グレープフルーツ及びテンプルオレンジ精油を用い、抗酸化性の比較、トコフェロールの定量を行った結果が記載されている。
刊行物２；「化学大辞典」株式会社東京化学同人、第１５７９頁（１９８９　　　　　　）
　トコフェロールはビタミンＥの別名であることが記載されている。
刊行物３；「月刊　フードケミカル」１９９０年３月号、（株）食品化学新　　　　　聞社、第５２〜５８頁（平成２年）
  ビタミンＣ、ビタミンＥがラジカルを補足する抗酸化剤であること（ｐ５４表３）が記載されている。
刊行物４；特開平６−２４９３７号公報
　刊行物４には陳皮（温州みかん）抽出物に活性酸素消去作用があること、これを化粧料に添加することを示す以下の記載がなされている。
【請求項２】ハイビスカス，・・・陳皮，・・・・オニワカメ，からなる各植物より水若しくは低級アルコールまたは低級アルコール水溶液により抽出された各種植物抽出物群、およびタンニン酸，・・・からなる化合物群のいずれか一方の群若しくは両方の群より選択された１種または２種以上を有効成分として含有することを特徴とする活性酸素消去剤。
【請求項４】　請求項１に記載のムコ多糖類断片化抑制剤、請求項２に記載の活性酸素消去剤および請求項３に記載の抗酸化剤からなる群より選択された１種または２種以上を有効成分として含有することを特徴とする化粧料。
【０００９】
・・たとえば、この発明にかかる有効成分の１種類又は２種類以上を各種化粧料基剤等に配合して、クリーム、乳液、化粧水、・・その他の化粧料に対して広範囲に適用できる。
【００１０】【作用】
　・・・この発明にかかる植物の各種抽出物および化合物は、その優れた活性酸素消去作用に基づき安全性が高く且つ安定性のある「活性酸素消去剤」を提供することができ、もって老化防止・疾病の防止を達成できる。特に、皮膚（肌）の老化防止には顕著な作用効果を果たすことができる。
　また、この発明にかかる植物の各種抽出物および化合物は、その優れた抗酸化作用に基づき活性酸素により生ずる悪影響のある物質（たとえば，過酸化脂質）の生成を抑止し、安全性が高く且つ安定性のある「抗酸化剤」を提供することができ、もって皮膚（肌）の状態の悪化を防止し、かつ生体の老化の防止を達成できる。
刊行物５；特開平９ー４８９６９号公報
  刊行物５にはビターオレンジの皮抽出物中に抗酸化成分エリオシトリンが含まれこれを飲食品、医薬品、化粧品に添加することを示す以下の記載がなされている。
【請求項１】・・抗酸化性物質エリオシトリンを有効成分とする抗酸化剤。
【請求項２】　柑橘類の果汁、果皮、果皮含有物及び／又は搾り粕を、水、有機溶媒又はこれらの混合物で抽出し、得られた抽出物をイオン交換樹脂処理・・・等の精製処理を組み合わせて行うこと、を特徴とする抗酸化性物質エリオシトリンの製造方法。
【０００３】
　また近年になって、活性酸素の害作用がクローズアップされるようになり、例えば、食品中に含まれるリノール酸、リノレン酸などの栄養学的に必須な不飽和脂肪酸は、空気中の酸素により容易に過酸化されて過酸化脂肪酸や、反応性ラジカル（フリーラジカル）を生成すると共に・・・・・・発がん作用などの影響を与えることも報告されている。」
【０００４】
　このような酸素による害作用を防止するために、抗酸化剤が開発され・・・。また、天然抗酸化剤についても、ビタミンＥ、ビタミンＣ、カテキン類が知られており、一部は実用に供されている。
【０００６】
　酸素による重大な害作用に鑑み、飲食品、医薬品、化粧品その他工業製品における酸化、あるいは生体内での過酸化を防止するために・・新しいタイプの抗酸化剤を開発する目的で、本発明はなされたものである。
【００１１】
　エリオシトリンは、柑橘類、特にその果汁、果肉、果皮、果皮含有物、及び／又は搾り粕を原料とし、これを抽出して採取するものである。
【００１２】　柑橘類としては、レモン、・・・サワーオレンジ、・・・ダイダイ、・・・ポンカンその他柑橘類が１種又は２種以上使用される。
【００１３】
　エリオシトリンを製造するには、先ず柑橘類を水、有機溶媒、又はこれらの混合物で抽出する。抽出は室温〜高温で行う。次いで抽出物は、必要あれば（減圧）濃縮した後、樹脂処理・・の精製処理を行い、・・・エリオシトリンの精製粉末を得る。
【００１７】エリオシトリンとしては、精製物を使用できることはもちろんであるが、・・・必ずしも精製物を使用する必要がない場合には、精製工程で得られる各種の粗製品も充分に使用することができる。
【００１８】エリオシトリンは、天然物由来の成分であり・・・レモン、ライム等の柑橘果汁に数１０ｍｇ/１００ｍｌと多量に含まれており、生体への安全性は問題ない。
【００３４】【発明の効果】
　本発明によれば、エリオシトリンを有効成分とする抗酸化剤が提供される。エリオシトリンは、抗酸化作用にすぐれているだけでなく、天然物由来であるため、安全性にも問題がなく、飲料、食品、医薬品、化粧品、その他工業製品の抗酸化剤として広範に使用することができる。
【００３５】
　また、最近は、天然抗酸化剤のビタミンＥ、βカロチンや、緑茶中のカテキン類は、ラジカル捕捉能、活性酸素消去能から生体内での酸化防止効果があることが示されている。これは高血圧防止や・・・（略）・・・、成人病予防食品の素材として注目されている。柑橘由来の抗酸化性を示す、エリオシトリンは、同様な効果が期待でき、・・・健康飲食品としても有利に利用することができる。」
刊行物６；特開平３ー５６５８５号公報
　刊行物６にはミカン科に属するオレンジの溶媒抽出物を抗酸化剤とし、油脂や食品に添加することを示す以下の記載がなされている。
特許請求の範囲１
「・・・ミカン科の植物に属するオレンジ・・からなる群から選ばれた少なくとも１種の植物体の溶剤抽出物を有効成分として含有する抗酸化剤。」
（産業上の利用分野）
　本発明は、油脂や食品等の酸化防止に用いられる抗酸化剤に関する。
刊行物７：「新訂和漢薬」昭和４５年医歯薬出版株式会社発行　第２９１ー　　　　　　２９２頁
　橙の果皮（橙皮）の成分の項に配糖体（ｈｅｓｐｅｒｉｄｉｎ・・）・・・ビタミンＡ、Ｂ、Ｃと記載されている。
刊行物８：「抗酸化物質　フリーラジカルと生体防御」１９９４年、株式会社学会出版センター発行　第２６５〜２６９頁
「・・例を示したような種々の構造のフラボノイドについて、脂質過酸化抑制や１Ｏ２，・ＯＨ，Ｏ２，Ｈ２Ｏ２などの活性酸素の消去作用などが明らかにされている。」と記載され、図２にヘスペリジンが構造式とともに例示されている。
（５）対比判断
５−１　本件発明１について
　刊行物５には、ビターオレンジの１種であるダイダイ、サワーオレンジの果皮抽出物には抗酸化作用のあるエリオシトリンが含まれていることが記載されている。さらに、刊行物５の【０００３】【０００４】【００３５】の記載によればエリオシトリンにはラジカル捕捉能、活性酸素消去能が期待できるものであること、さらに【００１７】【００１８】の記載によればエリオシトリンは柑橘果汁に１０ｍｇ/１００ｍｌと多量に含まれ、必ずしも精製物の形で使用する必要性もないことから、エリオシトリンの抽出原料であるビターオレンジの果皮抽出物そのものにラジカル捕捉能が期待でき、そのままの形態で使用可能であることは当業者が十分に理解する範囲のことである。
　さらに、刊行物７には、ビターオレンジの１種であるダイダイの果皮（橙皮）にヘスペリジン（フラボノイドの１種）が含有されることが記載されており、刊行物８によれば、ヘスペリジンにも、脂質過酸化抑制や１Ｏ２，・ＯＨ，Ｏ２，Ｈ２Ｏ２などの活性酸素の消去作用があるとされている。
　加えて、ビターオレンジの果皮中にはアスコルビン酸（ビタミンＣ）も含まれ（刊行物７）、この成分もラジカルを捕捉する抗酸化剤であることが周知である（刊行物３）。
　以上を総合すると、「ビターオレンジ」の皮にはフリーラジカル補足作用の期待できるヘスペリジンやエリオシトリン、アスコルビン酸の各種成分が含まれるのであるから、その抽出物がフリーラジカル捕捉作用を有することは当業者が容易に予測可能である。
　したがって、本件発明１は刊行物３，５，７、８に記載された発明に基づいて当業者が容易になし得たものである。
５−２　本件発明３、５、８について
　上述の通り「ビターオレンジ」の皮にはフリーラジカル補足効果の期待できるヘスペリジンやエリオシトリン、アスコルビン酸が含まれるから、その皮から得た抽出物がフリーラジカル捕捉作用を有することは容易に予測できるところ、従来より酸素による重大な害作用に鑑み飲食品、医薬品、化粧品その他の工業製品に抗酸化剤を配合することが周知であるから（刊行物４、刊行物５【０００６】、刊行物６、）フリーラジカル補足作用のある成分を含むビターオレンジの皮抽出物を食品や皮膚に適用する化粧用の組成物に当該活性を与えるために効果的な量で配合することは当業者が容易になし得ることである。
　さらに刊行物４には活性酸素消去剤を含む陳皮などの植物抽出物が化粧品に対して広範に適用でき、皮膚（肌）の老化防止に役立てる試みもなされていることから、ビターオレンジの皮抽出物を含有する組成物をヒトの皮膚に適用してみることも当業者が容易に想起することと認められる。
　したがって、本件発明３、５、８は刊行物３、４、５、６、７、８に記載された発明に基づいて当業者が容易に発明できたものである。
５−３　本件発明２、４、６、７、９について
　ビターオレンジに限らず一般にオレンジ抽出物中にアスコルビン酸が含有されることは周知であり、これがラジカルを捕捉することも周知であるが、上述のごとくビターオレンジの皮抽出物中にはアスコルビン酸以外にもエリオシトリンやヘスペリジンという抗酸化作用を奏する成分が存在するのであるから、抽出溶媒や抽出条件によりアスコルビン酸含有量が低減した抽出物であってもフリーラジカル捕捉作用が期待できることは当業者が容易に理解しうることである。
　したがって、抽出物中のアスコルビン酸含量を約１重量％未満と限定した本件発明２、４、６、７、９にしても上記５−１，５−２に示した刊行物３、４、５、６、７、８の記載事項から当業者が容易に想到しうる発明である。
　なお、特許権者は、特許異議意見書において参考資料２（インターネットホームページｈｔｔｐ：//ｗｗｗ．ｒａｉｎ−ｔｒｅｅ．ｃｏｍ/ｏｒａｎｇｅ．ｈｔｍ”ＯＲＡＮＧＥ　ＢＩＴＴＥＲＳ”）を示し、ビターオレンジ抽出物には刊行物５の成分であるエリオシトリンは含まれないと主張しているが、参考資料２においてエリオシトリンが、それが存在する事を確認すべき成分（分析対象成分）であったか否か不明であって、そこに記載されていないということがその成分を全く含まないことを示すものではないし、現に刊行物５ではこの成分の存在が確認されているのであるから、かかる主張は理由がない。
（６）むすび
　以上のとおりであるから、本件発明１〜９についての特許は、特許法第２９条第２項の規定に違反してされたものである。
　したがって、本件発明１〜９についての特許は、特許法第１１３条第２号に該当し、取り消されるべきものである。
 　よって、結論のとおり決定する。
【異議決定日】
平成１４年１０月３１日（２００２．１０．３１）
【訂正の要旨】
１．特許請求の範囲を次のとおり訂正する。
　【請求項１】　
ビターオレンジの皮
　【請求項２】　前記
ビターオレンジの皮
　【請求項３】　ローション、フォーム、クリーム等の形態の化粧品組成物において、スーパーオキシドラジカルに対する抗ラジカル活性を与えるために効果的な量の
ビターオレンジの皮
　【請求項４】　前記
ビターオレンジの皮
　【請求項５】　組成物の抗ラジカル活性を高めるために効果的な量の
ビターオレンジの皮
　【請求項６】　前記
ビターオレンジの皮
　【請求項７】　前記組成物が薬剤用、化粧品用、食品用、及び農業用組成物から成る群から選択されたものである請求項６に記載の方法。
　【請求項８】　
ビターオレンジの皮
　【請求項９】　前記
ビターオレンジの皮
２．発明の詳細な説明の欄の記載を次のとおり訂正する。
２．１．発明の詳細な説明の欄（特許公報）の下記箇所の「オレンジ」を「ビターオレンジの皮」と訂正する。
２．２．発明の詳細な説明の欄（特許公報）の４欄４７〜４９行の「本発明に使用するオレンジ抽出物は、ミカン科ポンカン抽出物、ミカン科キハダ抽出物以外のオレンジ抽出物である。」を削除する。
２．３．発明の詳細な説明の欄（特許公報）の５欄下から１２〜１１行の「オレンジ抽出物は、オレンジの皮、花及び／又はオレンジの木の葉から得ることが好ましい。」を「ビターオレンジの皮抽出物はビターオレンジの皮から得られる。」と訂正する。
２．４．発明の詳細な説明の欄（特許公報）の５欄下から６〜１行の「オレンジ抽出物は、Ｂｉｔｔｅｒ　Ｏｒａｎｇｅ　Ｐｅｅｌ　Ｅｘｔｒａｃｔ　ＨＢ（Ｃｅｎｔｅｒｃｈｅｍ，Ｉｎｃ．）、又はＨｅｒｂａｓｏｌ　Ｏｒａｎｇｅ　Ｅｘｔｒａｃｔ（Ｃｏｓｍｅｔｏｃｈｅｍ）が最も好ましい。Ｃｅｎｔｅｒｃｈｅｍ製の原料はビターオレンジの皮から得られ、Ｃｏｓｍｅｔｏｃｈｅｍ製の原料はビターオレンジの花から得られている。」を「ビターオレンジの皮抽出物としては、Ｂｉｔｔｅｒ　Ｏｒａｎｇｅ　Ｐｅｅｌ　Ｅｘｔｒａｃｔ　ＨＢ（Ｃｅｎｔｅｒｃｈｅｍ，Ｉｎｃ．）が最も好ましい。」と訂正する。
２．５．発明の詳細な説明の欄（特許公報）の７欄１０行の「オレンジ抽出物を上述の方法に従って調製した。」を「この実施例では、ビターオレンジの皮抽出物（Ｂｉｔｔｅｒ　Ｏｒａｎｇｅ　Ｐｅｅｌ　Ｅｘｔｒａｃｔ　ＨＢ（Ｃｅｎｔｅｒｃｈｅｍ，Ｉｎｃ．））を使用した。」と訂正する。
２．６．発明の詳細な説明の欄（特許公報）の８欄６〜７行の「オレンジ抽出物は、５２％の阻止率を示した。」を「ビターオレンジの皮抽出物（Ｂｉｔｔｅｒ　Ｏｒａｎｇｅ　Ｐｅｅｌ　Ｅｘｔｒａｃｔ　ＨＢ（Ｃｅｎｔｅｒｃｈｅｍ，Ｉｎｃ．））は、５２％の阻止率を示した。」と訂正する。
（５４）【発明の名称】
オレンジ抽出物を用いたフリーラジカルを捕捉する方法及びその組成物
（５７）【特許請求の範囲】
　【請求項１】　
ビターオレンジの皮
　【請求項２】　前記
ビターオレンジの皮
　【請求項３】　ローション、フォーム、クリーム等の形態の化粧品組成物において、スーパーオキシドラジカルに対する抗ラジカル活性を与えるために効果的な量の
ビターオレンジの皮
　【請求項４】　前記
ビターオレンジの皮
　【請求項５】　組成物の抗ラジカル活性を高めるために効果的な量の
ビターオレンジの皮
　【請求項６】　前記
ビターオレンジの皮
　【請求項７】　前記組成物が薬剤用、化粧品用、食品用、及び農業用組成物から成る群から選択されたものである請求項６に記載の方法。
　【請求項８】　
ビターオレンジの皮
　【請求項９】　前記
ビターオレンジの皮
【発明の詳細な説明】
　【０００１】
　【発明の属する技術分野】
　本発明は、組成物に
ビターオレンジの皮
　【０００２】
　【従来の技術】
　フリーラジカルの有害性については、多くの事例が知られているが、継続的な研究が行われている。例えば、経時的な皮膚の老化の原因の１つは、繊維、細胞及び酵素のような皮膚を形成する要素内でフリーラジカルが生じることであると考えられている。このフリーラジカルの生成の一部は、太陽光線による外的放射線の作用に起因する。このように生成されたフリーラジカルは、フリーラジカルが存在する限り、すなわち安定な分子を作る何か（代表的にはスカベンジャー又はインヒビターといわれる）とフリーラジカルが結合しない限り、連鎖反応によって皮膚の要素を攻撃する。このフリーラジカルの外皮レベルでの有害な作用によって、細胞ＤＮＡの破壊及び結合組織（コラーゲン及びエラスチン）の浸食を引き起こす。このようにして、皮膚はより老化して見えるのである。
　【０００３】
　結果として、フリーラジカル連鎖反応の際にフリーラジカルの生成を妨害ないし阻止する物質が継続的に探し求められている。現在、周知のスカベンジャー（インヒビター又は抗酸化剤ともいわれ、本明細書においても使用されるように、スカベンジャーと同義とされている。）は、フェノール類、芳香族アミン、硫黄化合物、粗種油、小麦胚芽油、トコフェロール類、及びガム類を含む。また、燐酸、クエン酸、及びアスコルビン酸はそれ自体捕捉活性を有するか若しくは上述の公知のスカベンジャーの活性を高めるとも考えられている。
　ここで、フランス国出願第２，５９７，３３７−Ａ２号明細書は、フリーラジカルを攻撃することによって老化プロセスを遅らせる化粧品について記載している。その化粧品は、アセロラチェリー抽出物から得られるようなビタミンＣ源を含む水溶性の第一の活性成分と、ビタミンＥのようなフリーラジカルスカベンジャーを含む油溶性の第二の成分を含んでいる。
　【０００４】
　上述のフランス国出願は、アセロラチェリー抽出物の利用について記載しているが、アセロラチェリーは、特にビタミンＣの存在ということに関しては、他のビタミンＣの天然源に比し、相対的に多量のビタミンＣが存在することが知られている。同様に、特開平２−２００６１０号及び７０−６１９１５号は、アセロラの実から得られる抽出物を化粧品に配合したことについて記載している。これらの出願は、アセロラチェリーがビタミンＣ又はアスコルビン酸を含有していることを教示しているとともに、特開平２−２００６１０号は、その抽出物が少なくとも１％のＬ−アスコルビン酸を含むことについて記載し、所望の美白効果をもたらしているのは、Ｌ−アスコルビン酸の存在であるということについて記載している。これは驚くことではない。なぜなら、Ｌ−アスコルビン酸が美白効果をもたらすことは周知だからである。
　【０００５】
　しかしながら、実質的にビタミンＣを含まない
ビターオレンジの皮
ビターオレンジの皮
ビターオレンジの皮
ビターオレンジの皮
　【０００６】
　【発明が解決しようとする課題】
　本発明の目的は、フリーラジカルの生成を阻止し又はフリーラジカルを捕捉する組成物を提供することである。また、本発明は、公知のフリーラジカルスカベンジャーを含有する組成物に
ビターオレンジの皮
　【０００７】
　【課題を解決するための手段】
　すなわち、本発明は、フリーラジカルスカベンジャーを含有するタイプの組成物に、
ビターオレンジの皮
ビターオレンジの皮
　また、本発明は、フリーラジカルの捕捉活性を高めるために効果的な量の
ビターオレンジの皮
　酸素分子に起因する酸化反応によって生じたスーパーオキシドイオンは、非常に活性が高く、特にタンパク質及び核酸を攻撃することは知られている。すなわち、本発明は、
ビターオレンジの皮
ビターオレンジの皮
　また、本発明は、
ビターオレンジの皮
　【０００８】
　本発明において有用な
ビターオレンジの皮
　本明細書において使用される「実質的にアスコルビン酸を含まない」という用語は、
ビターオレンジの皮
ビターオレンジの皮
ビターオレンジの皮
　本明細書において使用される「少量の有機酸」及び「少量のカルボン酸」という用語は、有機酸及びカルボン酸（飽和及び不飽和の、カルボン酸、ジカルボン酸、ヒドロキシモノカルボン酸、ヒドロシキジカルボン酸、及びヒドロキシトリカルボン酸を含む）の存在量が、
ビターオレンジの皮
　【０００９】
　本発明の組成物においては、使用される
ビターオレンジの皮
　ここで、この明細書記載の百分率は、特に言及しない場合は、重量パーセントを示す。
　【００１０】
　【発明の実施の形態】
　本発明によれば、活性成分として
ビターオレンジの皮
　しかし、本発明においては、
ビターオレンジの皮
ビターオレンジの皮
ビターオレンジの皮
ビターオレンジの皮
　
ビターオレンジの皮
ビターオレンジの皮
ビターオレンジの皮から得られる。ビターオレンジの皮
ビターオレンジの皮
　【００１１】
　本発明の組成物においては、使用される
ビターオレンジの皮
　本発明の組成物は、種々の形態で調製することができる。例えば、クリーム、化粧水、パック若しくはパウダーのような化粧品、又はエマルション、ローション、塗り薬若しくは軟膏の形態をとることができる。どの形態の場合においても、種々の公知の化粧品成分を配合することができる。例えば、アルコール、油脂、界面活性剤、脂肪酸、シリコーンオイル、保湿剤、粘度調節剤、乳化剤、安定剤、色素及び香料のような化粧品成分である。
　【００１２】
　本発明の組成物の他の態様においては、上述の記載から十分明らかにされたように、
ビターオレンジの皮
ビターオレンジの皮
ビターオレンジの皮
ビターオレンジの皮
　また、本発明は、公知のフリーラジカルスカベンジャーを含有する組成物に、
ビターオレンジの皮
　【００１３】
　また、本発明は、組成物のフリーラジカル捕捉活性を高めるために効果的な量の
ビターオレンジの皮
　本発明の他の態様においては、ヒトの皮膚において、フリーラジカルを捕捉する方法が提供されるとともに、
ビターオレンジの皮
ビターオレンジの皮
　【００１４】
　【実施例】
　本発明の
ビターオレンジの皮
対照溶液は、公知のフリーラジカル源である２，２−ジフェニル−１−ピクリルヒドラジルハイドレート（ＤＰＰＨ）を３９．４３ｍｇ量り、エタノールで１０００ｍｌに希釈することによって調製した。対照キュベットには、１．７５ｍｌの対照溶液と１．７５ｍｌのエタノールを充填した。ブランクキュベットには、３．５ｍｌのエタノールを充填した。これらのキュベットを、温度が３７℃の乾燥器に３０分間入れた。ブランクキュベットを参照スロットに置き、対照キュベットを試料スロットに置いて、紫外可視分光光度計を使用して、５１６ｎｍにおける吸収強度を測定した。
実施例１
　この実施例では、
ビターオレンジの皮
Ｂｉｔｔｅｒ　Ｏｒａｎｇｅ　Ｐｅｅｌ　Ｅｘｔｒａｃｔ　ＨＢ（Ｃｅｎｔｅｒｃｈｅｍ，Ｉｎｃ．））
ビターオレンジの皮
ビターオレンジの皮
　【００１５】
　フリーラジカル捕捉活性は、次式を使ってフリーラジカルの生成を阻止する百分率として計算した。
　　阻止率　＝　１００×［１−（ＤＴ／ＤＲ）］
　ここで、ＤＴは、参照キュベットに関して測定された試験キュベットの吸光度を、ＤＲは、ブランクキュベットに関して測定された対照キュベットの吸光度である。
　
ビターオレンジの皮抽出物（Ｂｉｔｔｅｒ　Ｏｒａｎｇｅ　Ｐｅｅｌ　Ｅｘｔｒａｃｔ　ＨＢ（Ｃｅｎｔｅｒｃｈｅｍ，Ｉｎｃ．））
　この試験は、
ビターオレンジの皮
ビターオレンジの皮
　【００１６】
実施例２
　フリーラジカル捕捉活性の試験は、実施例１に記載したのと同様の方法で、（ａ）トコフェリルアセテート、（ｂ）バラの実油（Ｒｏｓｅ　Ｈｉｐｓ　Ｏｉｌ）、（ｃ）Ｔｉｏｘｏｌｏｎｅ、及び（ｄ）Ｌａｎａｃｈｒｙｓ　２Ｂの１％溶液を使用して実施した。その結果を表１に示す。
　【００１７】
　【表１】
　　　　　　美白剤　　　　　　　　　　阻止率（％）
　　トコフェリルアセテート　　　　　　　６７
　　バラの実油　　　　　　　　　　　　　６３
　　Ｔｉｏｘｏｌｏｎｅ　　　　　　　　　５０
　　Ｌａｎａｃｈｒｙｓ　２Ｂ　　　　　　４０
　【００１８】
　上述の実施態様に広い範囲の変更及び修正を成し得ることを理解されたい。従って、本発明は、前述の説明に限定されるものではなく、本発明を定義した特許請求の範囲が包含するすべての等価なものを含むものである。